(57)【要約】【課題】居室空間を確保しかつ美観を損なうことなく床面に空気吹出口を設けることができる空調空気吹出部構造を提供する。【解決手段】空調空気吹出部構造１０を、建物１２の内部に形成された居室部４６の縁部９２の床面４６Ａに設けられると共に、建物１２の床下空間８６に配置され、一端部５６Ａが空調設備５２に接続された空調ダクト５６の他端部５６Ｂと連通し、空調ダクト５６の内部を流れる空調設備５２により空調された空気を居室部４６の内部へ吹き出す空調空気吹出口８２と、空調空気吹出口８２の建物上方側に空調空気吹出口８２と離間して設けられ、空調空気吹出口８２を見えにくくする目隠し部材１０４と、を含んで構成する。【選択図】図２
2020115059.tif 000002
【特許請求の範囲】
【請求項１】
建物の内部に形成された居室部の縁部の床面に設けられると共に、前記建物の床下空間に配置され、一端部が空調設備に接続された空調ダクトの他端部と連通し、前記空調ダクトの内部を流れる前記空調設備により空調された空気を前記居室部の内部へ吹き出す空調空気吹出口と、
前記空調空気吹出口の建物上方側に前記空調空気吹出口と離間して設けられ、前記空調空気吹出口を見えにくくする目隠し部材と、
を含んで構成された空調空気吹出部構造。
【請求項２】
前記居室部の前記縁部の前記床面は、前記居室部の前記床面を構成する床材とは別個の吹出部用床材により構成された請求項１に記載の空調空気吹出部構造。
【請求項３】
前記空調空気吹出口の建物上方側に、前記床面の前記空調空気吹出口の室外側から前記目隠し部材の下面へ向かうにつれて建物上方側かつ室内側へ向けて延在された板状の傾斜部材が配置された請求項１又は請求項２に記載の空調空気吹出部構造。
【請求項４】
前記空調設備は、前記建物の屋内に前記居室部とは別個に設けられ、前記建物の全館空調を行う請求項１から３の何れか１項に記載の空調空気吹出部構造。
【請求項５】
前記目隠し部材は、前記居室部の前記縁部に設けられた床の間を形成する床板により構成された請求項１から４の何れか１項に記載の空調空気吹出部構造。
【請求項６】
前記目隠し部材は、前記居室部の前記縁部に設けられた収納棚の底部を形成する底板により構成された請求項１から４の何れか１項に記載の空調空気吹出部構造。
【発明の詳細な説明】
【技術分野】
【０００１】
本発明は、空調空気吹出部構造に関する。
【背景技術】
【０００２】
下記特許文献１には、空調機の室内機が居室部の四方の側壁面の一部を構成する側壁部と天井部との接合角部分に取り付けられると共に、送風板が室内機を建物下方側から覆い隠した状態で、いわゆる折下天井として設けられた室内空調構造が開示されている。また、天井裏には、天井部の面方向に沿って仕切板が配置されている。仕切板は、一方の端部が室内機の正面部の建物上下方向略中間部の近傍となるように配置されている。このため、室内機の吹出口から吹出された冷風や温風が吹出された直後に吸込口に戻る、いわゆるショートパスが発生することを回避することができる。これにより、冷暖房効果の立ち上りが遅くなることや暖房時に足元まで温まり難くなることを回避すると共に、空調機の負荷が大きくなることを回避することができる。
【先行技術文献】
【特許文献】
【０００３】
【特許文献１】特開２０１２−１３７２３７号公報
【発明の概要】
【発明が解決しようとする課題】
【０００４】
空調をより効率的に行うためには、居住者に直接空調された空気を届けることができるように床面に空気吹出口を設けることが望ましい。しかしながら、特許文献１に記載された室内空調構造によれば、床面に空気吹出口を設けた場合には、空気の通気経路を確保するために側壁内部に通気のための空間を設ける必要があり、壁面内部を含めた大掛かりな構造となる。また、例えば、床面が畳やタイルのように加工が難しい床材で構成されている居室部では、空気吹出口の周りは板材で構成する必要があるため、居室部の床面の美観を損ないやすい。このため、居室空間を確保しかつ美観を損なうことなく床面に空気吹出口を設けることが望ましい。
【０００５】
本発明は、上記事実を考慮し、居室空間を確保しかつ美観を損なうことなく床面に空気吹出口を設けることができる空調空気吹出部構造を得ることを目的とする。
【課題を解決するための手段】
【０００６】
第１の態様に係る空調空気吹出部構造は、建物の内部に形成された居室部の縁部の床面に設けられると共に、前記建物の床下空間に配置され、一端部が空調設備に接続された空調ダクトの他端部と連通し、前記空調ダクトの内部を流れる前記空調設備により空調された空気を前記居室部の内部へ吹き出す空調空気吹出口と、前記空調空気吹出口の建物上方側に前記空調空気吹出口と離間して設けられ、前記空調空気吹出口を見えにくくする目隠し部材と、を含んで構成されている。
【０００７】
第１の態様に係る空調空気吹出部構造によれば、居室部の床面の縁部に設けられた空調空気吹出口から空調された空気が居室部の内部へ吹出される。このため、居住者に直接空調された空気を届けることができる。また、空調空気吹出口に接続され、空調された空気が流れる空調ダクトは、建物の床下空間に配置されている。このため、空気の通気経路を確保するために、例えば、側壁内部に通気のための空間を設ける必要がなく、居室空間を広く確保することができる。
【０００８】
さらに、第１の態様に係る空調空気吹出部構造によれば、空調空気吹出口の建物上方側には、空調空気吹出口と離間して目隠し部材が設けられている。このため、目隠し部材により、空調空気吹出口が見えにくくなるように目隠しすることができる。これにより、美観を損なうことなく居室部の床面に空気吹出口を設けることができる。
【０００９】
第２の態様に係る空調空気吹出部構造は、第１の態様において、前記居室部の前記縁部の前記床面は、前記居室部の前記床面を構成する床材とは別個の吹出部用床材により構成されている。
【００１０】
第２の態様に係る空調空気吹出部構造によれば、空調空気吹出口が設けられる居室部の縁部の床面は、居室部の床面を構成する床材とは別個の吹出部用床材により構成されている。このように縁部とそれ以外の部分で別の床材が用いられた場合であっても、空調空気吹出口が設けられた縁部の建物上方側には目隠し部材が設けられるため、居室部内から空調空気吹出口及び吹出部用床材が見えにくくなるように目隠しされる。これにより、縁部の床面に居室部の床材とは別個の吹出部用床材が使われる場合に、空調空気吹出口が設けられた縁部の床面と縁部以外の床面との境界部分を目立ちにくくすることができる。
【００１１】
第３の態様に係る空調空気吹出部構造は、第１の態様又は第２の態様において、前記空調空気吹出口の建物上方側に、前記床面の前記空調空気吹出口の室外側から前記目隠し部材の下面へ向かうにつれて建物上方側かつ室内側へ向けて延在された板状の傾斜部材が配置されている。
【００１２】
第３の態様に係る空調空気吹出部構造によれば、空調空気吹出口の建物上方側に、空調空気吹出口の室外側から目隠し部材の下面へ向かうにつれて建物上方側かつ室内側へ向けて延在された傾斜部材が、配置されている。このため、空調空気吹出口から吹出された空調された空気は、傾斜部材に沿って流され、空調空気吹出口の建物上方側で淀むことなく、居室部側へ流される。これにより、効率的に居室部内へ空調された空気を吹き出すことができる。
【００１３】
第４の態様に係る空調空気吹出部構造は、第１から第３の態様の何れか１の態様において、前記空調設備は、前記建物の屋内に前記居室部とは別個に設けられ、前記建物の全館空調を行う。
【００１４】
第４の態様に係る空調空気吹出部構造によれば、建物の全館空調を行う空調設備は、建物の屋内に居室部とは別個に設けられている。このため、居室空間を確保しかつ建物の内部の居室空間の空調を均一かつ快適に保つことができる。
【００１５】
第５の態様に係る空調空気吹出部構造は、第１から第４の態様の何れか１の態様において、前記目隠し部材は、前記居室部の前記縁部に設けられた床の間を形成する床板により構成されている。
【００１６】
第５の態様に係る空調空気吹出部構造によれば、目隠し部材は、居室部の縁部に設けられた床の間を形成する床板により構成されている。このため、居住者が違和感を覚えることなく居室部に目隠し部材を設けることができる。これにより、居室空間を確保しかつ美観を損なうことなく床面に空気吹出口を設けることができる。
【００１７】
第６の態様に係る空調空気吹出部構造は、第１から第４の態様の何れか１の態様において、前記目隠し部材は、前記居室部の前記縁部に設けられた収納棚の底部を形成する底板により構成されている。
【００１８】
第６の態様に係る空調空気吹出部構造によれば、目隠し部材は、居室部の縁部に設けられた収納棚の底部を形成する底板により構成されている。このため、居住者が違和感を覚えることなく居室部に目隠し部材を設けることができる。これにより、居室空間を確保しかつ美観を損なうことなく床面に空気吹出口を設けることができる。
【発明の効果】
【００１９】
以上説明したように、第１の態様に係る空調空気吹出部構造は、居室空間を確保しかつ美観を損なうことなく床面に空気吹出口を設けることができるという優れた効果を有する。
【００２０】
第２の態様に係る空調空気吹出部構造は、縁部の床面に居室部の床材とは別個の吹出部用床材が使われる場合に、空調空気吹出口が設けられた縁部の床面と縁部以外の床面との境界部分を目立ちにくくすることができるという優れた効果を有する。
【００２１】
第３の態様に係る空調空気吹出部構造は、空調空気吹出口の建物上方側で淀むことなく、効率的に居室部内へ空調された空気を吹き出すことができるという優れた効果を有する。
【００２２】
第４の態様に係る空調空気吹出部構造は、居室空間を確保しかつ建物の内部の居室空間の空調を均一かつ快適に保つことができるという優れた効果を有する。
【００２３】
第５の態様に係る空調空気吹出部構造は、居住者が違和感を覚えることなく居室部に目隠し部材を設けることができるため、居室空間を確保しかつ美観を損なうことなく床面に空気吹出口を設けることができるという優れた効果を有する。
【００２４】
第６の態様に係る空調空気吹出部構造は、居住者が違和感を覚えることなく居室部に目隠し部材を設けることができるため、居室空間を確保しかつ美観を損なうことなく床面に空気吹出口を設けることができるという優れた効果を有する。
【図面の簡単な説明】
【００２５】
【図１】本実施形態に係る空調空気吹出部構造が適用されたユニット建物の概略を示す斜視図である。
【図２】本実施形態に係る空調空気吹出部構造の概略を示す構成図である。
【図３】第１の態様に係る空調空気吹出部構造が適用された居室部内部の斜視図である。
【図４】第１の態様に係る空調空気吹出部構造が適用された床の間の縦断面図である。
【図５】第１の態様に係る変形例の床の間の縦断面図である。
【図６】第２の態様に係る空調空気吹出部構造が適用された居室部内部の斜視図である。
【図７】第２の態様に係る空調空気吹出部構造が適用された隅部の縦断面図である。
【図８】第２の態様に係る変形例の隅部の縦断面図である。
【発明を実施するための形態】
【００２６】
（第１実施形態）
以下、図１〜図５を用いて、本発明に係る空調空気吹出部構造の第１実施形態について説明する。
【００２７】
図１及び図２に基づいて、本実施形態に係る空調空気吹出部構造１０を備えた建物１２について説明する。建物１２は、一例として、基礎１４上に固定され、建物１２の上方側を覆うように設置された図示しない屋根を備えた２階建てユニット式建物として構成されている。建物１２は、複数の建物ユニット１６が互いに水平方向（縦横）及び上下方向に連結されることによって構成されており、一階部分１６Ａと二階部分１６Ｂとを有している。
【００２８】
図１には、ユニット式建物を構成する建物ユニット１６Ａ１の躯体フレーム１８が示されている。躯体フレーム１８は、四隅に立設された４本の外柱２２と、外柱２２の上端部間に架設された天井大梁２４により矩形枠状に形成された天井フレーム２６と、外柱２２の下端部間に架設された床大梁３４により矩形枠状に形成された床フレーム３６と、により箱型に構成されている。また、外柱２２には、方形の鋼管柱が用いられている。
【００２９】
躯体フレーム１８の建物上方側を構成する天井フレーム２６は、長辺側に配置された一対の桁側の天井大梁２４Ａと、短辺側に配置された一対の妻側の天井大梁２４Ｂと、を含んで構成されている。桁側の天井大梁２４Ａ、妻側の天井大梁２４Ｂはいずれも溝形鋼とされている。また、一対の桁側の天井大梁２４Ａ間には、リップ溝形鋼（Ｃ形鋼）により一体に形成された複数本の天井小梁２８が架け渡されている。天井小梁２８の下面側には、矩形平板状に形成された板材の天井パネル３０が取り付けられている。なお、桁側の天井梁２４Ａと妻側の天井梁２４Ｂの両者を区別する必要がない場合は「天井大梁２４」と総称する。
【００３０】
躯体フレーム１８の建物下方側を構成する床フレーム３６は、長辺側に配置された一対の桁側の床大梁３４Ａと、短辺側に配置された一対の妻側の床大梁３４Ｂと、を含んで構成されている。桁側の床大梁３４Ａ、妻側の床大梁３４Ｂはいずれも溝形鋼とされている。また、一対の桁側の床大梁３４Ａ間には、角形鋼管により一体に形成され、端部を桁側の床大梁３４Ａの溝部の内側に溶接されたブラケット（図示省略）に接合された床小梁３８が、架け渡されている。床小梁３８の上面側には、矩形平板状に形成された板材の床パネル４０が取り付けられている。なお、桁側の床大梁３４Ａと妻側の床大梁３４Ｂの両者を区別する必要がない場合は「床大梁３４」と総称する。
【００３１】
図２に示されるように、建物１２には、建物ユニット１６の内部が間仕切り壁４８により区画されることにより、居室部４６、４７の他、廊下や物入れなどの小部屋が形成されている。居室部４６、４７の床パネル４０の上面には、床材９０、１１０（図４参照）が配置され、床材９０、１１０の上面は、居室部４６、４７の床面４６Ａ、４７Ａを形成している。また、建物１２には、空調設備５２を主要部とする全館空調システムが設けられている。空調設備５２は、室内機５４と、図示しない室外機と、室内機５４に接続される空調ダクトとしてのダクト５６及びチャンバ５８等を含んで構成されている。このように構成された空調設備５２により、建物１２全体の空間を空調する一連のシステムが構成されている。
【００３２】
具体的には、室内機５４が建物１２の１階部分における床パネル４０に対して貫通配置されると共に、室外機が建物１２の外側（屋外）に配置されている。室内機５４は、ダクト５６やチャンバ５８等を介して建物１２の一階部分及び二階部分に設けられた複数の居室部４６、４７と連通されている。これにより、空調設備５２は、主に建物１２の全体を一体的に空調している。
【００３３】
建物１２の一階部分には、機械室６０と、複数の居室部４６、４７が形成されている。機械室６０は、建物ユニット１６の内部に間仕切り壁４８を設けて形成されている。このため、機械室６０は、居室部４７に隣接するように形成されている。なお、ここでは、機械室６０は、建物ユニット１６の内部に間仕切り壁４８を設けて形成されるとして説明したが、これに限らず、建物１２内に設けられる図示しない廊下スペースや、一階部分と二階部分とを連通する図示しない階段下の空間に形成されてもよい。
【００３４】
機械室６０内には、空調設備５２を構成し、略矩形箱状に形成された筐体を有する室内機５４が設置されている。室内機５４は、機械室６０の床パネル４０を貫通するように設置されており、室内機５４の建物上方側は、機械室６０の床上からその内部へ露出している。室内機５４は、略矩形箱状に形成された熱交換ユニット６２が略矩形箱状に形成された送風ユニット６６の建物上方側にアダプタ６４を介して設置することにより一体的に構成されている。略矩形箱状に形成されたアダプタ６４は、機械室６０の床部６０Ａに形成された貫通口６８に固定されている。このため、熱交換ユニット６２が機械室６０の床上からその内部へ露出して配置され、送風ユニット６６が機械室６０の床下に配置される構成とされている。
【００３５】
機械室６０の内部に設置された熱交換ユニット６２は、熱交換器（図示省略）と、床上筐体７２を含んで構成されている。間仕切り壁４８には図示しない両開きの扉が設けられており、床上筐体７２の間仕切り壁４８に対向する面（窓側の面）には、室内空気を吸い込むための吸込口７４が形成されている。吸込口７４の外側表面には図示しないフィルタが着脱可能に装着されており、吸い込まれた室内空気がフィルタを通過する際に塵埃が捕集されるように構成されている。
【００３６】
吸込口７４の外側には、略矩形箱状に形成された吸音ボックス７６が、吸込口７４及びフィルタを覆うように配置されている。これにより、熱交換ユニット６２で発生した空気音や機械音が室内機５４の外側に漏れることを抑制することができる。具体的には、吸音ボックス７６は、吸込口７４側に開放され、開放された面の周縁部が吸込口７４及びフィルタの外周部を囲むように床上筐体７２の吸込口７４側の面に接続されている。また、吸音ボックス７６の下面は建物下方側へ向けて開放された図示しない開口部が形成されており、機械室６０に取り込まれた室内空気は、開口部を経て吸込口７４に吸い込まれる構成とされている。なお、ここでは、熱交換ユニット６２に、吸音ボックス７６が設けられているとして説明したが、これに限らず、熱交換ユニットに吸音ボックスを設けない構成としてもよい。
【００３７】
床下に設置された送風ユニット６６は、送風機（図示省略）と、床下筐体８０と、を含んで構成されている。建物１２の床下に載置された床下筐体８０の床下空間８６と対向する面である前面には、熱交換ユニット６２で生成された空調空気を床下に配置されたダクト５６へ送るための床下筐体８０の吹出口（図示省略）が設けられている。また、床下筐体８０の内部には、送風機が配置されている。床下筐体８０の内部の送風機から吹き出された空調空気は、床下筐体８０の吹出口側に取り付けられたチャンバ５８に導入される。チャンバ５８には、各居室部４６、４７と連通する複数のダクト５６の一端部としての室外機側端部５６Ａが接続されている。
【００３８】
アダプタ６４は、床パネル４０に形成された貫通口６８に貫通された状態で熱交換ユニット６２と送風ユニット６６の間に設置されている。アダプタ６４の上端は、図示しないブラケットを介して熱交換ユニット６２を構成する床上筐体７２の下端と連結されている。また、アダプタ６４の下端は、図示しないブラケットを介して送風ユニット６６を構成する床下筐体８０の上端と連結されている。これにより、熱交換ユニット６２及び送風ユニット６６は、アダプタ６４に固定されている。
【００３９】
本実施形態に係る空調設備５２では、空調設備５２を運転することにより、居室部４６の室内空気は、各居室部４６と連通すると共に機械室６０に隣接した居室部４７に誘導される。居室部４７に流れ込んだ空気は、機械室６０との間を区切る間仕切り壁４８の、例えば、下端部に貫通形成された図示しない通気口を通じて機械室６０の内部に誘導される。誘導された空気は、吸音ボックス７６の開口部を経由して、吸込口７４から熱交換ユニット６２に吸い込まれる。さらに、空気が熱交換器を通過することにより熱交換が行われ、空調空気が生成される。空調空気は、アダプタ６４を介して床下に配置された送風ユニット６６に送られる。送風ユニット６６に送られた空調空気は、送風機によりチャンバ５８へと送られる。チャンバ５８を通過した空調空気は、複数のダクト５６を通じてそれぞれの居室部４６、４７に送られる。このため、空調設備５２により、建物１２の内部に設けられた複数の居室部４６、４７の空調を均一かつ快適に保つことができる。
【００４０】
本実施形態に係る一の居室部４６には、例えば、図３に示されるように、縁部としての隅部９２に床の間９４を設けた和室８８が構成されている。和室８８の隅部９２よりも室内側の床パネルの４０の上面には、畳９０が敷き詰められている。敷き詰められた畳９０の上面によって和室８８内の床面４６Ａが形成されている。また、床の間９４と側壁９６に沿って隣接する部分には、床脇９８が形成されている。床の間９４と床脇９８の間には、これらを区切るために床壁１００が立設されており、床壁１００の室内側には、床パネル４０から天井パネル３０にかけて床柱１０２が立設されている。
【００４１】
床の間９４の内側かつ建物下方側には、建物水平方向に沿って板材で形成された目隠し部材としての床板１０４が配置されている。このため、床板１０４により、和室８８内から床板１０４の建物下方側に形成された空間Ｓ（図４参照）を見ることができないように目隠しされる。また、隅部９２とこれに隣接する畳９０との境目に沿って、板材により形成され、当該境目に沿った方向を長手方向とする床框１０６が延在されている。
【００４２】
図４には、床の間９４の建物下方側の縦断面図が示されている。床の間９４内の床パネル４０の上面には、板材で形成された吹出部用床材としてのフローリング材１１０が配置されている。配置されたフローリング材１１０の上面により、和室８８の床の間９４における床面４６Ａが形成されている。
【００４３】
床框１０６の内側には、床框１０６の板厚方向（建物水平方向）に沿って形成された開口にルーバ部１０８が形成されている。ルーバ部１０８には、板状に形成された複数の羽板部１０８Ａが建物上下方向に間隔を開けて配置され、各羽板部１０８Ａの間には、空気が通過できるスリット孔１０８Ｂが形成されている。このため、和室８８内の床面４６Ａに近い位置から床の間９４の建物下方側を見た場合であっても、視界が遮られて床板１０４の建物下方側に形成された空間Ｓを覗くことができない。これにより、床の間９４の美観を損なわないように床框１０６から空調空気を和室８８内へ向けて吹き出させることができる。
【００４４】
床パネル４０とフローリング材１１０には、これらを建物上下方向に貫通するように挿通孔１１２が形成されている。挿通孔１１２には、その内周側に吹出側チャンバ１１３が嵌合されている。吹出側チャンバ１１３の建物下方側には開口が形成され、開口にはダクト５６の他端部としての床側端部５６Ｂが接続されている。吹出側チャンバ１１３の建物上方側の開口には、板状に形成され、床框１０６の長手方向に沿って延在された蓋部１１４が配置されている。蓋部１１４の内側は、スリット状の空調空気吹出口８２が形成されている。このため、吹出側チャンバ１１３を流れる空調空気を、空調空気吹出口８２から和室８８側へ吹出させることができる。
【００４５】
和室８８（居室部４６）の側端部の側壁９６は、例えば、パーティクルボード等の壁材により構成されている。側壁９６の建物外側かつ建物下方側には、下地材として、例えば、石膏ボード１１６が配置されている。石膏ボード１１６は、側壁９６に建物外側からねじ締結されている。
【００４６】
床框１０６の建物上方側には、棒状に形成された上側補強材１１８が床柱１０２と床柱１０２に対向する側壁９７との間に架け渡されている。また、床框１０６の建物下方側には、棒状に形成された下側補強材１２０が床柱１０２と床柱１０２に対向する側壁９７との間にフローリング材１１０の上面に沿って架け渡されている。床框１０６の建物上方側は、上側補強材１１８にねじ締結され、床框１０６の建物下方側は、下側補強材１２０にねじ締結されている。これにより、床框１０６は、フローリング材１１０の建物上方側で固定されている。
【００４７】
床板１０４の建物下方側には、空調空気吹出口８２の蓋部１１４よりも室外側のフローリング材１１０の上面から床板１０４の下面へ向かうにつれて建物上方側かつ室内側へ向けて延在された板状の傾斜部材１２２が配置されている。ここでは、傾斜部材１２２は、フローリング材１１０と接続する側壁９６の下端部を形成する立上部９６Ａから床板１０４の下面へ向けて延在されている。また、傾斜部材１２２は、床壁１００と床壁１００に対向する側壁９７との間に床框１０６の長手方向に沿って形成されている。これにより、空調空気吹出口８２から吹出した空調空気は、傾斜部材１２２の傾斜面１２２Ａに沿って床框１０６側へ流れるように構成されている。なお、ここでは、傾斜部材１２２の下端は、側壁９６の下端部となる立上部９６Ａに配置されていると説明したが、これに限らず、空調空気吹出口８２の蓋部１１４よりも室外側の所定の位置に配置されてもよい。
【００４８】
傾斜部材１２２の上面には、木製の補強材１２４が配置されている。補強材１２４は、床框１０６の長手方向を板厚方向とし、側壁９６と傾斜部材１２２と床板１０４に沿って略三角状に形成された板材により構成されている。補強材１２４の側壁９６側の端部は、石膏ボード１１６を固定するためのねじ１２６により石膏ボード１１６と共に側壁９６に固定されている。また、補強材１２４の床板１０４側の端部は、床板１０４の下面に沿って配置された板状の床板側石膏ボード１２８に挿通されたねじ１２６を介して固定されている。さらに、補強材１２４の傾斜部材１２２側の端部は、傾斜部材１２２の傾斜面１２２Ａ側から挿通されたねじ１２６を介して固定されている。床板１０４は、床板側石膏ボード１２８の上面に、例えば、接着材等により固定されている。これにより、床板１０４を和室８８内から見たときの美観を損なわないように構成されている。なお、ここでは、補強材１２４は、木製と説明したが、これに限らず、ウレタン製の補強材等が用いられてもよい。
【００４９】
次に、本実施形態に係る作用並びに効果について説明する。
【００５０】
本実施形態に係る空調空気吹出部構造１０によれば、居室部４６（和室８８）の隅部９２の床面４６Ａに設けられた空調空気吹出口８２から空調空気が居室部４６の内部へ吹出される。このため、居住者に直接空調された空気を届けることができる。また、空調された空気が流れ、空調空気吹出口８２と接続されたダクト５６は、床下空間８６に配置されている。このため、空気の通気経路を確保するために側壁９６、９７の建物外側に通気のための空間を設ける必要がなく、居室空間を広く確保することができる。
【００５１】
また、本実施形態に係る空調空気吹出部構造１０によれば、空調空気吹出口８２の建物上方側には、空調空気吹出口８２と離間して目隠し部材としての床板１０４が配置されている。このため、床板１０４により、居室部４６内から空調空気吹出口８２を直接見ることができないように目隠しすることができる。さらに、床板１０４とフローリング材１１０の間に形成された隙間を塞ぐように、隅部９２とこれに隣接する畳９０との境目に沿って、床框１０６が配置されている。このため、床板１０４の建物下方側に形成された空間Ｓを、居室部４６内から直接見ることができないように目隠しすることができる。さらに、隅部９２よりも室内側の床面４６Ａの床材に、隅部９２の床面４６Ａを構成するフローリング材１１０と異なる畳９０が用いられた場合であっても、フローリング材１１０と畳９０との境界部分を目立ちにくくすることができる。これにより、美観を損なうことなく居室部４６の隅部９２に空調空気吹出口８２を設けることができる。
【００５２】
さらに、本実施形態に係る空調空気吹出部構造１０によれば、床板１０４の建物下方側には、板状の傾斜部材１２２が配置されている。これにより、空調空気吹出口８２から吹出した空調空気は、傾斜部材１２２の傾斜面１２２Ａに沿って床框１０６側へ流され、空調空気吹出口８２の建物上方側の空間Ｓで淀むことなく、居室部４６内部へ流される。これにより、効率的に居室部４６内部へ空調された空気を送り込むことができる。
【００５３】
以上説明したように、本実施形態に係る空調空気吹出部構造１０により、居室部４６の空間を確保しかつ美観を損なうことなく居室部４６の床面４６Ａに空調空気吹出口８２を設けることができる。
【００５４】
さらに、本実施形態に係る空調空気吹出部構造１０によれば、建物１２内部に設けられた機械室６０に設置された空調設備５２により、居室部４６の室内空気は、他の居室部４６と連通すると共に機械室６０に隣接した居室部４７に誘導される。誘導された空気は、空調設備５２の内部で、空調空気に生成される。生成された空調空気は、空調設備５２の床下側に配置された送風ユニット６６を介して吹出側チャンバ１１３へと送られる。吹出側チャンバ１１３を通過した空調空気は、それぞれの居室部４６、４７の空調空気吹出口８２を通じて居室部４６、４７内に送られる。これにより、居室部４６、４７の空間を確保した上で複数の居室部４６、４７の空調を均一かつ快適に保つことができる。
【００５５】
また、本実施形態に係る空調空気吹出部構造１０によれば、空調空気吹出口８２から吹出した空調空気は、空調空気吹出口８２の建物上方側の空間Ｓ内で淀むことなく、居室部４６の内部へ流される。このため、ルーバ部１０８から早い風速で空調空気を吹き出させることができる。これにより、床面４６Ａ上の埃を遠くまで吹き飛ばすことができ、居室部４６の隅部９２に埃を溜まりにくくすることができる。
【００５６】
（第１実施形態の変形例）
次に、図５を用いて、本実施形態の変形例について説明する。なお、前述した本実施形態と同一構成部分については、同一番号を付してその説明を省略する。
【００５７】
本変形例に係る空調空気吹出部構造１３０によれば、床の間９４の内側かつ建物下方側には、フローリング材１１０とこれに隣接する畳９０との境目から側壁９６へ向かうにつれて建物上方側かつ室外側へ向けて延在された板状の床板１３２が配置されている。また、床板１３２の内側には、床板１３２の板厚方向に沿って形成された開口にルーバ部１３４が形成されている。このため、和室８８内の床面４６Ａに近い位置から床の間９４の建物下方側を見た場合であっても、視界が遮られて床板１０４の建物下方側に形成された空間Ｓを覗くことができない。これにより、床の間９４の美観を損なわないように床板１３２から空調空気を和室８８内へ向けて吹き出させることができる。
【００５８】
本変形例によれば、床板１３２により、居室部４６（和室８８）内から床板１３２の建物下方側に形成された空間Ｓ及び空調空気吹出口８２を直接見ることができないように目隠しすることができる。また、隅部９２よりも室内側の床面４６Ａの床材に、隅部９２の床面４６Ａを構成するフローリング材１１０と異なる畳９０が用いられた場合であっても、フローリング材１１０と畳９０との境界部分を目立ちにくくすることができる。これにより、美観を損なうことなく居室部４６の隅部９２に空調空気吹出口８２を設けることができる。
【００５９】
（第２実施形態）
次に、図６及び図７を用いて、第２実施形態について説明する。なお、前述した第１実施形態と同一構成部分については、同一番号を付してその説明を省略する。
【００６０】
本実施形態に係る空調空気吹出部構造１４０によれば、フローリング材１１０が配置された隅部９２よりも室内側の床パネル４０の上面には、タイル材１４２が配置されている。このため、隅部９２よりも室内側の床面４６Ａは、タイル材１４２の上面により形成されている。また、居室部４６の縁部としての隅部９２には収納棚１４４が配置されている。収納棚１４４は、隅部９２の床面４６Ａに設けられた空調空気吹出口８２の建物上方側に配置されている。収納棚１４４の建物下方側の底部は、建物水平方向に沿って配置された板材により構成された目隠し部材としての底板１４４Ａにより形成されている。このため、底板１４４Ａ（収納棚１４４）により視界が遮られるため、居室部４６内から収納棚１４４の建物下方側に設けられた空調空気吹出口８２を見づらくするように目隠しされる。
【００６１】
本実施形態によれば、底板１４４Ａにより、居室部４６内から空調空気吹出口８２を直接見づらくするように目隠しすることができる。このため、隅部９２よりも室内側の床面４６Ａの床材に、隅部９２の床面４６Ａを構成するフローリング材１１０と異なるタイル材１４２が用いられた場合であっても、フローリング材１１０とタイル材１４２との境界部分を目立ちにくくすることができる。これにより、美観を損なうことなく居室部４６の隅部９２に空調空気吹出口８２を設けることができる。
【００６２】
なお、図７に示されるように、フローリング材１１０とタイル材１４２との境界部分と収納棚１４４の底板１４４Ａの外周部との間の隙間を塞ぐように、当該境界部分に沿って板状に形成され、内側にスリット部１４６Ａを備えたフレア部材１４６が配置されてもよい。これにより、居室部４６内の床面４６Ａに近い位置から隅部９２を見た場合であっても、視界が遮られて空調空気吹出口８２を直接見ることができない。これにより、居室部４６の美観を損なわないように空調空気吹出口８２から空調空気を居室部４６内へ向けて吹き出させることができる。
【００６３】
（第２実施形態の変形例）
次に、図８を用いて、本実施形態の第１変形例について説明する。なお、前述した本実施形態と同一構成部分については、同一番号を付してその説明を省略する。
【００６４】
本変形例に係る空調空気吹出部構造１５０によれば、収納棚１４４の底板１４４Ａの建物下方側には、底板１４４Ａの下面から隅部９２の床面４６Ａへ向かうにつれて建物下方側かつ室外側へ傾斜された傾斜部材１５２が配置されている。
【００６５】
本変形例によれば、底板１４４Ａの建物下方側には、板状の傾斜部材１５２が配置されている。これにより、空調空気吹出口８２から吹出した空調空気は、空調空気吹出口８２の建物上方側で淀むことなく、傾斜部材１５２の傾斜面１５２Ａに沿って居室部４６内部へ流される。これにより、効率的に居室部４６内部へ空調空気を送り込むことができる。さらに、空調空気吹出口８２から吹出した空調空気は、空調空気吹出口８２の建物上方側の空間内で淀むことなく、居室部４６の内部へ流されるため、早い風速で空調空気を吹き出させることができる。これにより、床面４６Ａの埃を遠くまで吹き飛ばすことができ、居室部４６の隅部９２に埃を溜まりにくくすることができる。
【００６６】
なお、ここでは、隅部９２の床材には、フローリング材１１０が用いられ、隅部９２以外の床面には畳９０及びタイル材１４２が用いられるとして説明したが、これに限らず、隅部及び隅部以外の床面の床材に、これらとは異なる床材が用いられてもよい。
【符号の説明】
【００６７】
１０   空調空気吹出部構造
１２   建物
４６   居室部
４６Ａ 床面
５２   空調設備
５６   ダクト（空調ダクト）
５６Ａ 室外機側端部（一端部）
５６Ｂ 床側端部（他端部）
８２   空調空気吹出口
８６   床下空間
８８   和室（居室部）
９２   隅部（縁部）
９０   畳（床材）
９４   床の間
１０４ 床板（目隠し部材）
１１０ フローリング材（吹出部用床材）
１２２ 傾斜部材
１３０ 空調空気吹出部構造
１３２ 床板（目隠し部材）
１４０ 空調空気吹出部構造
１４２ タイル材（床材）
１４４ 収納棚
１４４Ａ  底板（目隠し部材）
１５０ 空調空気吹出部構造
１５２ 傾斜部材
【図１】
2020115059.tif 000003
【図２】
2020115059.tif 000004
【図３】
2020115059.tif 000005
【図４】
2020115059.tif 000006
【図５】
2020115059.tif 000007
【図６】
2020115059.tif 000008
【図７】
2020115059.tif 000009
【図８】
2020115059.tif 000010